(57)【要約】【課題】端子整列板といった付加的な構成を用いることなく、端子が不要に変形することなくスムーズかつ正確に基板に接続され得ると共に、端子と基板とを半田等で接続した接続部に不要な応力が生じることが低減され得るコネクタを提供する。【解決手段】一端が基板４０に各々接続自在であると共に、他端が外部機器に各々接続自在である複数群の端子３０、３３０、６０、９０において、少なくとも２つの端子が、基板への実装方向において最も突設される。【選択図】図１
2011070775.tif 000002
【特許請求の範囲】
【請求項１】
一端が基板に各々接続自在であると共に、他端が外部機器に各々接続自在である複数群の端子と、前記複数群の端子を保持する保持部を有するハウジングと、を備えて、前記基板に実装されるコネクタであって、
前記複数群の端子において、少なくとも２つの端子が、前記複数群の端子に関する前記基板への実装方向において最も突設されることを特徴とするコネクタ。
【請求項２】
前記複数群の端子の４隅に配置される少なくとも２つの端子が、前記複数群の端子に関する前記基板への前記実装方向において最も突設されることを特徴とする請求項１に記載のコネクタ。
【請求項３】
前記複数群の端子において、前記保持部から最も遠い位置で前記基板に接続されるべき第１群を構成する複数の端子における全ての端子が、前記複数群の端子に関する前記基板への前記実装方向において最も突設されることを特徴とする請求項１又は２に記載のコネクタ。
【請求項４】
前記複数群の端子は、前記保持部から遠い位置で前記基板に接続されるべき群の端子である程、前記複数群の端子に関する前記基板への前記実装方向において、より突設されていることを特徴とする請求項１から３のいずれかに記載のコネクタ。
【請求項５】
前記複数群の端子における前記保持部から最も近い位置で前記基板に接続されるべき群の端子の近傍において、前記基板に配置自在な少なくとも１つの脚部を設けることを特徴とする請求項１から４のいずれかに記載のコネクタ。
【発明の詳細な説明】
【技術分野】
【０００１】
本発明は、コネクタに関し、特に、基板に実装されるコネクタに関する。
【背景技術】
【０００２】
近年、車両等に用いられる電子装置等を実装する基板において、電力線や信号線を効率的に接続するために、更にコネクタを実装する構成が提案されている。
【０００３】
かかるコネクタは、細い端子を多数有する傾向が強まっているため、基板に実装される際に、コネクタの端子がスムーズかつ短時間で基板に対して接続され得る構成を採用することが強く求められるようになっている。
【０００４】
かかる状況下において、特許文献１においては、端子を整列させると共に不要な変形が生じないように、端子整列板であるタインプレートを有するコネクタが開示されている。
【先行技術文献】
【特許文献】
【０００５】
【特許文献１】特開平０９−３５８２９号公報
【発明の概要】
【発明が解決しようとする課題】
【０００６】
しかしながら、本発明者の検討によれば、特許文献１で提案される構成では、そもそもコネクタに対して、端子整列板であるタインプレートを付加する必要があり、基本的な構成自体が煩雑である。
【０００７】
また、このようにタインプレートを付加してコネクタの端子を整列させて保持したとしても、タインプレートで保持された端子に外力が印加される場合を考慮して、タインプレートに設けられた貫通孔同士を互いに繋ぐようなスロットを形成する等の更に付加的な構成を付与する必要があり、より構成が煩雑となる傾向にあって、コストがより増大する要因にもなる。
【０００８】
本発明は、かかる事情に鑑みてなされたもので、端子整列板といった付加的な構成を用いることなく、端子が不要に変形することなくスムーズかつ正確に基板に接続され得ると共に、端子と基板とを半田等で接続した接続部に不要な応力が生じることが低減され得るコネクタを提供することを目的とする。
【課題を解決するための手段】
【０００９】
以上の目的を達成すべく、本発明は、一端が基板に各々接続自在であると共に、他端が外部機器に各々接続自在である複数群の端子と、前記複数群の端子を保持する保持部を有するハウジングと、を備えて、前記基板に実装されるコネクタであって、
前記複数群の端子において、少なくとも２つの端子が、前記複数群の端子に関する前記基板への実装方向において最も突設されることを第１の特徴とする。
【００１０】
また本発明は、かかる第１の特徴に加えて、前記複数群の端子の４隅に配置される少なくとも２つの端子が、前記複数群の端子に関する前記基板への前記実装方向において最も突設されることを第２の特徴とする。
【００１１】
また本発明は、かかる第１又は第２の特徴に加えて、前記複数群の端子において、前記保持部から最も遠い位置で前記基板に接続されるべき第１群を構成する複数の端子における全ての端子が、前記複数群の端子に関する前記基板への前記実装方向において最も突設されることを第３の特徴とする。
【００１２】
また本発明は、かかる第１から第３のいずれかの特徴に加えて、前記複数群の端子は、前記保持部から遠い位置で前記基板に接続されるべき群の端子である程、前記複数群の端子に関する前記基板への前記実装方向において、より突設されていることを第４の特徴とする。
【００１３】
また本発明は、かかる第１から４のいずれかの特徴に加えて、前記複数群の端子における前記保持部から最も近い位置で前記基板に接続されるべき群の端子の近傍において、前記基板に配置自在な少なくとも１つの脚部を設けることを第５の特徴とする。
【発明の効果】
【００１４】
本発明の第１の特徴によれば、一端が基板に各々接続自在であると共に、他端が外部機器に各々接続自在である複数群の端子において、少なくとも２つの端子が、複数群の端子に関する基板への実装方向において最も突設されることにより、端子整列板といった付加的な構成を用いることなく、端子を不要に変形することなくスムーズかつ正確に基板に接続できるため、コネクタの実装効率が向上し得ると共に、端子と基板とを半田等で接続した接続部に対して、基板と端子との位置ずれ等に起因する不要な応力が生じることを効果的に抑制し得る。
【００１５】
本発明の第２の特徴によれば、複数群の端子の４隅に配置される少なくとも２つの端子が、複数群の端子に関する基板への実装方向において最も突設されるものであるため、端子を基板の挿通孔に挿通する際の基準点の間隔を拡大することができて、端子を不要に変形することなく、よりスムーズかつ正確に基板に接続することができる。
【００１６】
本発明の第３の特徴によれば、複数群の端子において保持部から最も遠い位置で基板に接続されるべき第１群を構成する複数の端子における全ての端子が、複数群の端子に関する基板への実装方向において最も突設されるものであるため、端子を基板の挿通孔に挿通する際の基準点の数を増大することができて、端子を不要に変形することなく、よりスムーズかつ正確に基板に接続することができる。
【００１７】
本発明の第４の特徴によれば、複数群の端子が、保持部から遠い位置で基板に接続されるべき群の端子である程、複数群の端子に関する基板への実装方向において、より突設されているものであるため、端子を基板の挿通孔に進入させる際に、まず、保持部から遠い位置で基板に接続されるべき群の端子を規準として用いることができると共に、以降後順次、その次に保持部から遠い位置で基板に接続されるべき群の端子を規準として用いて、複数群の端子を基板の挿通孔に段階的に進入させることができて、端子を不要に変形することなく、よりスムーズかつ正確に基板に接続することができる。
【００１８】
本発明の第５の特徴によれば、複数群の端子における保持部から最も近い位置で基板に接続されるべき群の端子の近傍において、基板に配置自在な少なくとも１つの脚部を設けるものであるので、最も大きな荷重を受ける可能性の高い端子の部分を支持することができて、端子と基板とを半田等で接続した接続部に対して、不要な応力が生じることをより確実に抑制することができる。
【図面の簡単な説明】
【００１９】
【図１】本発明の第１の実施形態におけるコネクタの部分斜視図である。
【図２】本実施形態におけるコネクタの側面図であり、図１をｘ軸の負方向に見た図である。
【図３】図１のＡ−Ａ断面図であって、本実施形態におけるコネクタの端子が基板に装着される途中の状態を示した図である。
【図４】図１のＡ−Ａ断面図であって、本実施形態におけるコネクタの端子が基板に装着された後の状態を示した図である。
【図５】図１のＢ−Ｂ拡大断面図であって、本実施形態におけるコネクタの脚部が基板に装着された後の状態を示した図である。
【図６】本実施形態の変形例におけるコネクタの端子が基板に装着された後の状態を示した部分斜視図であり、位置的には図２をＡ方向に見た図である。
【図７】本発明の第２の実施形態におけるコネクタの端子が基板に装着される途中の状態を示した断面図であって、位置的には、図３に相当する。
【図８】本実施形態の変形例におけるコネクタの端子が基板に装着される途中の状態を示した断面図であって、位置的には、図３に相当する。
【発明を実施するための形態】
【００２０】
以下、図面を適宜参照して、本発明の各実施形態におけるコネクタにつき、詳細に説明する。なお、図中、ｘ軸、ｙ軸及びｚ軸は、３軸直交座標系をなし、ｘ軸の方向を左右方向、ｙ軸の方向を前後方方向、及びｚ軸の方向を、上下方向と呼ぶことがある。
【００２１】
（第１の実施形態）
まず、本発明の第１の実施形態におけるコネクタにつき、図１から図５を参照して、詳細に説明する。
【００２２】
図１は、本実施形態におけるコネクタの斜視図である。図２は、本実施形態におけるコネクタの側面図であり、図１をｘ軸の負方向に見た図である。図３は、図１のＡ−Ａ断面図であって、本実施形態におけるコネクタの端子が基板に装着される途中の状態を示した図である。図４は、図１のＡ−Ａ断面図であって、本実施形態におけるコネクタの端子が基板に装着された後の状態を示した図である。また、図５は、図１のＢ−Ｂ拡大断面図であって、本実施形態におけるコネクタの脚部が基板に装着された後の状態を示した図である。
【００２３】
図１から図５に示すように、本実施形態におけるコネクタ１は、樹脂製のハウジング１０に端子３０が装着された状態で、基板４０に実装自在なものである。
【００２４】
より詳しくは、ハウジング１０は、上下方向で対向して各々が平板状の上壁１２及び底壁１４と、左右方向で対向して各々が平板状の側壁１６及び１８と、上壁１２及び底壁１４並びに側壁１６及び１８の前方を塞いで平板状の前壁２０と、を有する。かかる上壁１２及び底壁１４、側壁１６及び１８、並びに前壁２０は、協働して、後方に開口すると共に、外部機器に接続する相手方コネクタが挿入自在な挿入凹部１０ａを画成する。なお、かかる外部機器及び相手方コネクタは、説明の便宜上、図示を省略する。
【００２５】
ハウジング１０の側壁１６及び１８は、前壁２０を超えて前方に各々延出する延出壁２２及び２４を対応して有する。延出壁２２は、その下方を規定する底面２２ａを有すると共に、右方に突出する突出部２２ｐを有して、かかる突出部２２ｐは、その下方を規定する底面２２ｂを有すると共に、底面２２ｂから下方に突出する脚部２６を有する。同様に、延出壁２４は、その下方を規定する底面２４ａを有すると共に、左方に突出する突出部２４ｐを有して、かかる突出部２４ｐは、その下方を規定する底面２４ｂを有すると共に、底面２４ｂから下方に突出する脚部２８を有する。なお、延出壁２２の底面２２ａ及び延出壁２４の底面２４ａは、上下方向で互いに同一位置にあり、延出壁２２の突出部２２ｐにおける底面２２ｂ及び延出壁２４の突出部２４ｐにおける底面２４ｂは、上下方向で互いに同一位置にある。
【００２６】
ハウジング１０の前壁２０は、各々が左右方向に延在する列を成して複数配置される挿通孔２０ａ、２０ｂ及び２０ｃを有し、挿通孔２０ａ、２０ｂ及び２０ｃの各列は、上下方向に並置される。かかる前壁２０は、端子３０をハウジング１０に保持する保持部として機能する。
【００２７】
端子３０は、ハウジング１０の前壁２０から最も遠い位置で基板４０に接続されるべき各々がピン状の第１群の端子３２と、第１群の端子３２よりもハウジング１０の前壁２０から近い位置で基板４０に接続されるべき各々がピン状の第２群の端子３４と、第２群の端子３４よりもハウジング１０の前壁２０から近い位置で基板４０に接続されるべき各々がピン状の第３群の端子３６と、で構成される。かかる第１群の端子３２、第２群の端子３４及び第３群の端子３６は、それらの前壁２０よりも前方の部分は、左右方向に見て、ハウジング１０の延出壁２２及び２４によって覆われる。なお、前壁２０から最も遠い位置で基板４０に接続されるべき第１群の端子３２以外の端子群である第２群の端子３４及び第３群の端子３６は、必ずしも２群設けられる必要はなく、必要に応じて１群のみ設けてもよいし、３群以上設けてもよい。
【００２８】
ここで、第１群の端子３２は、左右方向に延在する列を成すと共に、前壁２０の挿通孔２０ａに各々挿通される複数の端子から成り、第２群の端子３４は、左右方向に延在する列を成すと共に、前壁２０の挿通孔２０ｂに各々挿通される複数の端子から成り、また、第３群の端子３６は、左右方向に延在する列を成すと共に、前壁２０の挿通孔２０ｃに各々挿通される複数の端子から成る。なお、第１群の端子３２、第２群の端子３４及び第３群の端子３６は、必ずしも左右方向に正確に延在する列を成す必要はなく、基板４０への実装性を損なわない範囲内であれば偏位してもかまわない。
【００２９】
より詳しくは、端子３０の中で、第１群の端子３２における左右方向の両端に配置される長端子３２ａ及び３２ｂは、基板４０へ接続されるべき一端３２Ａ及び３２Ｂを対応して有すると共に、かかる長端子３２ａ及び３２ｂの一端３２Ａ及び３２Ｂは、ハウジング１０の延出壁２２の底面２２ａ及び延出壁２４の底面２４ａから下方に最も突出しており、長端子３２ａ及び３２ｂは、コネクタ１の端子３０に関する基板４０への実装方向である下方に向かって、最も突設されることになる。また、第１群の端子３２における長端子３２ａ及び３２ｂに挟まれる他の端子３２ｃの一端３２Ｃ、第２群の端子３４における基板４０へ接続されるべき一端３４Ａ及び第３群の端子３６における基板４０へ接続されるべき一端３６Ａは、ハウジング１０の延出壁２２の底面２２ａ及び延出壁２４の底面２４ａから下方に同じ距離だけ突出するものであって、第１群の端子３２における長端子３２ａ及び３２ｂの一端３２Ａ及び３２Ｂよりも上方に位置するものである。
【００３０】
また、ハウジング１０の延出壁２２の突出部２２ｐにおける脚部２６は、ハウジング１０の前壁２０から最も近い位置で基板４０に接続されるべき第３群の端子３６における最も右側に位置する端子の右方近傍に配置されると共に、ハウジング１０の延出壁２４の突出部２４ｐにおける脚部２８は、第３群の端子３６における最も左側に位置する端子の左方近傍に配置される。
【００３１】
一方で、第１群の端子３２における他端３２Ｄ、第２群の端子３４における他端３４Ｄ及び第３群の端子３６における他端３６Ｄは、共にハウジング１０の挿入凹部１０ａ内に位置するものである。なお、第１群の端子３２、第２群の端子３４及び第３群の端子３６は、ハウジング１０における前壁２０の前方で、上下方向の延在方向と前後方向の延在方向とを繋げる折れ曲がり部を各々有する。
【００３２】
また、基板４０は、図示を省略する電子装置等を実装し、典型的にはガラスエポキシ樹脂製のプリント配線基板であり、各々、基板４０を上下に貫通すると共に、左右方向に延在する列を成して配置される挿通孔４０ａ、４０ｂ及び４０ｃを有し、更に、基板４０を上下に貫通する１対の挿通孔４２及び４４を有する。
【００３３】
次に、以上の構成のコネクタ１を基板４０に対して実装する実装方法につき、詳細に説明する。
【００３４】
まず、コネクタ１を基板４０に対して実装するには、図３に示すように、コネクタ１の端子３０の第１群の端子３２、第２群の端子３４及び第３群の端子３６における一端３２Ａ、３２Ｂ、３２Ｃ、３４Ａ及び３６Ａを基板４０における挿通孔４０ａ、４０ｂ及び４０ｃに各々整合させて対向させるように、コネクタ１を基板４０の上面４０ｄに対して対向させた状態で、基板４０への実装方向である下方に向けて、コネクタ１を下降させていく。
【００３５】
すると、端子３０の第１群の端子３２における左右方向の両端に配置される長端子３２ａ及び３２ｂは、端子３０に関する基板４０への実装方向である下方に向かって、基板４０の上面４０ｄに対して最も突設されているため、長端子３２ａ及び３２ｂの一端３２Ａ及び３２Ｂが、基板４０の対応する挿通孔４０ａ及び４０ａの近傍からそれらの上端部に容易に到達し、更に、かかる状態の長端子３２ａ及び３２ｂの一端３２Ａ及び３２Ｂが、挿通孔４０ａ及び４０ａの上端部でガイドされるようにそれらの内部へと進入していく。この際、長端子３２ａ及び３２ｂは、所定の距離ほど離間された１対のピン状部材であるため、それらを規準として、端子３０における残余の端子である第１群の端子３２の長端子３２ａ及び３２ｂに挟まれる他の端子３２ｃ、第２群の端子３４及び第３群の端子３６においては、基板４０へ各々接続されるべき一端３２Ｃ、３４Ａ及び３６Ａが、基板４０において対応した挿通孔４０ａ、４０ｂ及び４０ｃに対して位置決めされると共に、それらの内部へとスムーズに進入していくことになって、結果的に、基板４０へ各々接続されるべき一端３２Ａ、３２Ｂ、３２Ｃ、３４Ａ及び３６Ａの全てが、基板４０において対応した挿通孔４０ａ、４０ｂ及び４０ｃに対して位置決めされると共に、それらの内部へとスムーズに進入していく。
【００３６】
そして、図４に示すように、ハウジング１０における延出壁２２の底面２２ａ及び延出壁２４の底面２４ａが、基板４０の上面４０ｄに当接するまで、コネクタ１が、基板４０に対して下降されて、端子３０の第１群の端子３２、第２群の端子３４及び第３群の端子３６の一端３２Ａ、３２Ｂ、３２Ｃ、３４Ａ及び３６Ａの側が、基板４０の対応する挿通孔４０ａ、４０ｂ及び４０ｃ内に収容されると共に、端子３０が基板４０に設けられた図示を省略する接続部に接続され、コネクタ１は、基板４０上に実装されることになる。
【００３７】
この際、コネクタ１の端子３０の第１群の端子３２、第２群の端子３４及び第３群の端子３６における一端３２Ａ、３２Ｂ、３２Ｃ、３４Ａ及び３６Ａが、基板４０における挿通孔４０ａ、４０ｂ及び４０ｃに進入するに伴って、ハウジング１０における延出壁２２の脚部２６及び延出壁２４の脚部２８は、基板４０に設けられた１対の挿通孔４２及び４４に進入していき、最終的には、図５に示すように、延出壁２２の脚部２６及び延出壁２４の脚部２８が、挿通孔４２及び４４に収容されるため、基板４０と端子３０との相対的位置関係を正規位置に維持すると共に、端子３０に印加される可能性のある外力を受けることができて、端子３０、特に最も大きな応力が生じる可能性の高い第３群の端子３６に不要な応力が生じることを低減する。かかる状態で、ハウジング１０における延出壁２２の突出部２２ｐにおける底面２２ｂ及び延出壁２４の突出部２４ｐにおける底面２４ｂは、基板４０の上面４０ｄに対して離間しているが、限定的なものではなく、これらは、基板４０の上面４０ｄに対して当接していてもよい。
【００３８】
なお、本実施形態において、基板４０の挿通孔４０ａ、４０ｂ及び４０ｃにおける上面４０ｄ側の端部に、上方に向けて拡開するテーパ面を設けることも可能で、かかる場合には、端子３０の第１群の端子３２、第２群の端子３４及び第３群の端子３６の一端３２Ａ、３２Ｂ、３２Ｃ、３４Ａ及び３６Ａを、より確実にガイドしながら対応する挿通孔４０ａ、４０ｂ及び４０ｃに進入させることができる。
【００３９】
また、本実施形態において、延出壁２２の突出部２２ｐに設けられる脚部２６及び延出壁２４の突出部２４ｐに設けられる脚部２８は、コネクタ１の端子３０の第１群の端子３２、第２群の端子３４及び第３群の端子３６の左右両端を覆うように延在させてもよいし、何らかの原因で第３群の端子３６に生じ得る応力以上の応力が集中する端子が有ることが予め分かっている場合には、かかる端子の左右両端を覆うように配置させることも可能である。
【００４０】
さて、以上の本実施形態の構成においては、端子の中で所定の距離ほど離間された１対のピン状部材である端子を用いて、残余の端子を、基板４０において対応した挿通孔４０ａ、４０ｂ及び４０ｃに対して位置決めしながら、それらの内部へとスムーズに進入させていくものであるため、種々の変形例が考えられる。つまり、端子間の距離が相対的に長く設定できる端子の組は、第１群の端子の両端に位置する端子に限定されるものではなく、第１群の端子の両端のいずれかに位置する端子に加え、第３群の端子の両端のいずれかに位置する端子を含むものであればよい。
【００４１】
以下、かかる変形例につき、更に図６をも参照して、詳細に説明する。
【００４２】
図６は、本実施形態の変形例におけるコネクタの端子が基板に装着された後の状態を示した部分斜視図であり、位置的には図２をＡ方向に見た図である。
【００４３】
図６に示す本変形例では、本実施形態における端子３０が、端子３３０に変更されている。つまり、かかる端子３３０においては、ハウジング１０の前壁２０から最も近い位置で基板４０に接続されるべき各々がピン状の第３群の端子３３６が、その左右の両端に配置されて下方に最も突出した一端３３６Ａ及び３３６Ｂを対応して有する長端子３３６ａ及び３３６ｂと、長端子３３６ａ及び３３６ｂに挟まれると共に長端子２３６ａ及び３３６ｂの一端３３６Ａ及び３３６Ｂよりも上方に位置した一端３３６Ｃを有する他の端子３３６ｃと、を備えることが、本実施形態における端子３０と相違し、第１群の端子３２及び第２群の端子３４は、上述した本実施形態における端子３０と同一である。
【００４４】
よって、本変形例の構成においては、長端子３２ａ、３２ｂ、３３６ａ及び３３６ｂは、各々が所定の距離ほど離間されて対を成すピン状部材であるため、それらを規準として、端子３３０における残余の端子である第１群の端子３２の他の端子３２ｃ、第２群の端子３４及び第３群の端子３３６の他の端子３３６ｃの一端３２Ｃ、３４Ａ及び３３６Ｃが、基板４０において対応した挿通孔４０ａ、４０ｂ及び４０ｃに対してより正確に位置決めされると共に、それらの内部へとスムーズに進入していくことになる。
【００４５】
ここで、本変形例においては、第１群の端子３２の左右両端の端子３２ａ及び３２ｂ、並びに第３群の端子３３６の左右両端の端子３３６ａ及び３３６の４本全てが長端子として説明したが、間隔が相対的に離間した端子を長端子に設定して実装時の位置決めとして用いるという観点からすれば、もちろんこれに限定されるものではなく、第１群の端子の左右両端の端子のうちの少なくとも１つの端子及び第３群の端子の左右両端の端子のうちの少なくとも１つの端子のような複数群の端子の配列中で４隅に位置する端子のうちの少なくとも２つの端子を、長端子として設定することが可能である。また、端子間距離が相対的に大きい複数群の端子を用いる場合においては、例えば隣接する２つの端子同士であってもそれらの間隔が相対的に離間しているために、長端子として設定することが可能であり、かかる技術的思想を拡張すれば、複数群の端子において少なくとも２つの端子を長端子に設定可能であることが理解できる。
【００４６】
以上の構成によれば、一端が基板に各々接続自在であると共に、他端が外部機器に各々接続自在である複数群の端子において、少なくとも２つの端子が、複数群の端子に関する基板への実装方向において最も突設されることにより、端子整列板といった付加的な構成を用いることなく、端子を不要に変形することなくスムーズかつ正確に基板に接続できるため、コネクタの実装効率が向上し得ると共に、端子と基板とを半田等で接続した接続部に対して、基板と端子との位置ずれ等に起因する不要な応力が生じることを効果的に抑制し得る。
【００４７】
また、複数群の端子の４隅に配置される少なくとも２つの端子が、複数群の端子に関する基板への実装方向において最も突設されるものであるため、端子を基板の挿通孔に挿通する際の基準点の間隔を拡大することができて、端子を不要に変形することなく、よりスムーズかつ正確に基板に接続することができる。
【００４８】
また、複数群の端子における保持部から最も近い位置で基板に接続されるべき群の端子の近傍において、基板に配置自在な少なくとも１つの脚部を設けるものであるので、最も大きな荷重を受ける可能性の高い端子の部分を支持することができて、端子と基板とを半田等で接続した接続部に対して、不要な応力が生じることをより確実に抑制することができる。
【００４９】
（第２の実施形態）
次に、本発明の第２の実施形態におけるコネクタにつき、更に図７をも参照して、詳細に説明する。
【００５０】
図７は、本実施形態におけるコネクタの端子が基板に装着される途中の状態を示した断面図であって、位置的には、図３に相当する。
【００５１】
本実施形態のコネクタ２においては、端子６０の構成が相違することが、第１の実施形態におけるコネクタ１の構成に対する主たる相違点であり、残余の構成は同様である。よって、本変形例においては、かかる相違点に着目して説明することとし、同様な構成については同一の符号を付して適宜説明を簡略化又は省略する。
【００５２】
具体的には、図７に示すように、端子６０は、ハウジング１０の前壁２０から最も遠い位置で基板４０に接続されるべき各々がピン状の第１群の端子６２が、左右方向に延在する列を成すと共に、前壁２０の挿通孔２０ａに各々挿通される複数の端子から成り、第１群の端子６２よりもハウジング１０の前壁２０から近い位置で基板４０に接続されるべき各々がピン状の第２群の端子６４が、左右方向に延在する列を成すと共に、前壁２０の挿通孔２０ｂに各々挿通される複数の端子から成ることは、第１の実施形態と同様であるが、それらの詳細な構成が異なっている。なお、第３群の端子３６は、第１の実施形態と同一である。
【００５３】
より詳しくは、端子６０の中で、第１群の端子６２は、長さが互いに等しく設定され、第１群の端子６２における基板４０へ接続されるべき一端６２Ａは、コネクタ２の端子６０に関する基板４０への実装方向である下方に向かって、最も突設されるものではあるが、上下方向において全て同一位置に設定されて、ハウジング１０の延出壁２２の底面２２ａ及び延出壁２４の底面２４ａから下方に同じ距離だけ突出するものである。また、第２群の端子６４は、長さが互いに等しく設定され、第２群の端子６４における基板４０へ接続されるべき一端６４Ａは、上下方向において全て同一位置に設定されるものであるが、上下方向において第１群の端子６２の一端６２Ａと第３群の端子３６の一端３６Ａとの間の位置に配置されて、端子６０に関する基板４０への実装方向である下方に向かって、中間的に突設されるものである。
【００５４】
一方で、第１群の端子６２における他端６２Ｄ、及び第２群の端子６４における他端６４Ｄは、第１の実施形態と同様に、共にハウジング１０の挿入凹部１０ａ内に位置するものである。なお、第１群の端子６２及び第２群の端子６４は、ハウジング１０における前壁２０の前方で、上下方向の延在方向と前後方向の延在方向とを繋げる折れ曲がり部を各々有することも、第１の実施形態と同様である。
【００５５】
次に、以上の構成のコネクタ２を基板４０に対して実装する実装方法につき、詳細に説明する。
【００５６】
まず、コネクタ２を基板４０に対して実装するには、図７に示すように、コネクタ２の端子６０の第１群の端子６２、第２群の端子６４及び第３群の端子３６における一端６２Ａ、６４Ａ及び３６Ａを基板４０における挿通孔４０ａ、４０ｂ及び４０ｃに各々整合させて対向させるように、コネクタ２を基板４０の上面４０ｄに対して対向させた状態で、基板４０への実装方向である下方に向けて、コネクタ２を下降させていく。
【００５７】
すると、端子６０の第１群の端子６２は、端子６０に関する基板４０への実装方向である下方に向かって、基板４０の上面４０ｄに対して最も突設されているため、第１群の端子６２の一端６２Ａが、基板４０の対応する挿通孔４０ａの近傍からそれらの上端部に容易に到達し、更に、かかる状態の第１群の端子６２の一端６２Ａが、挿通孔４０ａの上端部でガイドされるようにそれらの内部へと進入していく。この際、第１群の端子６２は、全て同じく基板４０に向けて最も突設されたピン状部材であるため、それらの全てが、端子６０における残余の端子である第２群の端子６４及び第３群の端子３６が、基板４０において対応する挿通孔４０ｂ及び４０ｃに進入していく際の規準となる。
【００５８】
つまり、次に、第１群の端子６２の全てを規準として、第２群の端子６４及び第３群の端子３６が、基板４０において対応する挿通孔４０ｂ及び４０ｃ進入していくことになるが、ここで、第２群の端子６４が、全て同じく基板４０に向けて中間的に突設されたピン状部材であるため、基板４０において対応する挿通孔４０ｂに進入していくと共に、それらの全てが、第３群の端子３６が基板４０において対応する挿通孔４０ｃに進入していく際の規準となるから、結果的に、基板４０へ各々接続されるべき一端６２Ａ、６４Ａ及び３６Ａの全てが、基板４０において対応した挿通孔４０ａ、４０ｂ及び４０ｃに対して位置決めされると共に、それらの内部へとスムーズに進入していく。
【００５９】
そして、第１の実施形態と同様に、ハウジング１０における延出壁２２の底面２２ａ及び延出壁２４の底面２４ａが、基板４０の上面４０ｄに当接するまで、コネクタ２が、基板４０に対して下降されて、端子６０の第１群の端子６２、第２群の端子６４及び第３群の端子３６の一端６２Ａ、６４Ａ及び３６Ａの側が、基板４０の対応する挿通孔４０ａ、４０ｂ及び４０ｃ内に収容されると共に、端子６０が基板４０に設けられた図示を省略する接続部に接続され、コネクタ１は、基板４０上に実装されることになる。この際、ハウジング１０における延出壁２２の脚部２６及び延出壁２４の脚部２８は、基板４０に設けられた１対の挿通孔４２及び４４に収容されることになる。
なお、本実施形態に対して、第１の実施形態の変形例で説明した長端子を有する第３群の端子の構成を適宜採用することももちろん可能である。
【００６０】
また、付け加えれば、ハウジング１０の前壁において、端子を挿通する挿通孔は、左右方向に延在する列を成して上下方向に並置される構成を有するものに限定されるものではないため、次に、ハウジング１０の前壁に関する本実施形態の変形例につき、図８を参照して、詳細に説明する。
【００６１】
図８は、本変形例におけるコネクタの端子が基板に装着される途中の状態を示した断面図であって、位置的には、図３に相当する。
【００６２】
図８に示すように、本変形例のハウジング１０の前壁８０は、左右方向に延在する列を成して複数配置される挿通孔８０ａを有し、挿通孔８０ａは、上下方向に並置されてはいない。
【００６３】
一方で、端子９０は、本実施形態と同様に、ハウジング１０の前壁２０から最も遠い位置で基板４０に接続されるべき各々がピン状の第１群の端子９２と、第１群の端子９２よりもハウジング１０の前壁２０から近い位置で基板４０に接続されるべき各々がピン状の第２群の端子９４と、第２群の端子９４よりもハウジング１０の前壁２０から近い位置で基板４０に接続されるべき各々がピン状の第３群の端子９６と、で構成されるものである。
【００６４】
より詳しくは、端子９０においては、第１群の端子９２における基板４０へ接続されるべき一端９２Ａは、端子９０に関する基板４０への実装方向である下方に向かって、最も突設され、第２群の端子９４における基板４０へ接続されるべき一端９４Ａは、端子９０に関する基板４０への実装方向である下方に向かって、中間的に突設され、第３群の端子９６における基板４０へ接続されるべき一端９６Ａは、端子９０に関する基板４０への実装方向である下方に向かって、最も少なく突設されるものである。また、第１群の端子９２における他端９２Ｄ、第２群の端子９４における他端９４Ｄ、及び第３群の端子９６における他端９６Ｄは、共にハウジング１０の挿入凹部１０ａ内に位置するものである。
【００６５】
ここで、第１群の端子９２、第２群の端子９４及び第３群の端子９６は、ハウジング１０における前壁２０の前方で、上下方向の延在方向と前後方向の延在方向とを繋げる折れ曲がり部を各々有するものであるが、ハウジング１０の前壁８０において左右方向に１列に配置された挿通孔８０ａに挿通される必要があるため、かかる折り曲げ部は、第１群の端子９２、第２群の端子９４及び第３群の端子９６が互いに干渉しないように、上下方向における同一の位置に設定されている。
【００６６】
本変形例の構成においても、まず、第１群の端子９２の一端９２Ａを規準とし、次に、第２群の端子９４の一端９４Ａを規準として、端子９０の第１群の端子９２、第２群の端子９４及び第３群の端子９６の一端９２Ａ、９４Ａ及び９６Ａが、基板４０の対応する挿通孔４０ａ、４０ｂ及び４０ｃ内にスムーズに進入自在である。
【００６７】
なお、本変形例の構成において、ハウジング１０の前壁に設けられる挿通孔を、左右方向に延在する列を成して複数配置されるものであって、かつ上下方向に２列並置される構成に変更できることは、もちろんである。つまり、ハウジング１０の前壁に設けられる挿通孔の配置パターン及び群を成す端子の配置パターンは、仕様に応じて適宜組み合わせて設定自在である。
【００６８】
また、本変形例で検討したハウジング１０の前壁に設けられる挿通孔の配置パターンは、変形例を含む第１の実施形態に適宜適用することができることはもちろんである。
【００６９】
以上の構成によれば、複数群の端子において保持部から最も遠い位置で基板に接続されるべき第１群を構成する複数の端子における全ての端子が、複数群の端子に関する基板への実装方向において最も突設されるものであるため、端子を基板の挿通孔に挿通する際の基準点の数を増大することができて、端子を不要に変形することなく、よりスムーズかつ正確に基板に接続することができる。
【００７０】
また、複数群の端子が、保持部から遠い位置で基板に接続されるべき群の端子である程、複数群の端子に関する基板への実装方向において、より突設されているものであるため、端子を基板の挿通孔に進入させる際に、まず、保持部から遠い位置で基板に接続されるべき群の端子を規準として用いることができると共に、以降後順次、その次に保持部から遠い位置で基板に接続されるべき群の端子を規準として用いて、複数群の端子を基板の挿通孔に段階的に進入させることができて、端子を不要に変形することなく、よりスムーズかつ正確に基板に接続することができる。
【００７１】
なお、本発明は、部材の種類、配置、個数等は前述の実施形態に限定されるものではなく、その構成要素を同等の作用効果を奏するものに適宜置換する等、発明の要旨を逸脱しない範囲で適宜変更可能であることはもちろんである。
【産業上の利用可能性】
【００７２】
以上のように、本発明においては、端子整列板といった付加的な構成を用いることなく、端子が不要に変形することなくスムーズかつ正確に基板に接続され得ると共に、端子と基板とを半田等で接続した接続部に不要な応力が生じることが低減され得るコネクタを提供することができるコネクタを提供することができるものであり、その汎用普遍的な性格から車両等の電子機器に使用されるコネクタに広範に適用され得るものと期待される。
【符号の説明】
【００７３】
１、２、３…コネクタ
１０、７０…ハウジング
１０ａ…挿入凹部
１２…上壁
１４…底壁
１６、１８…側壁
２０、８０…前壁
２０ａ、２０ｂ、２０ｃ、４０ａ、４０ｂ、４０ｃ、４２、４４、８０ａ…挿通孔
２２、２４…延出壁
２２ａ、２２ｂ、２４ａ、２４ｂ…底面
２２ｐ、２４ｐ…突出部
２６、２８…脚部
３０、６０、９０、３３０…端子
３２、６２、９２…第１群の端子
３２ａ、３２ｂ、３３６ａ、３３６ｂ…長端子
３２ｃ、３３６ｃ…他の端子
３２Ａ、３２Ｂ、３２Ｃ、３４Ａ、３６Ａ、６２Ａ、６４Ａ、９２Ａ、９４Ａ、９６Ａ、３３６Ａ、３３６Ｂ、３３６Ｃ…一端
３２Ｄ、３４Ｄ、３６Ｄ、６２Ｄ、６４Ｄ、９２Ｄ、９４Ｄ、９６Ｄ…他端
３４、６４、９４…第２群の端子
３６、９６、３３６…第３群の端子
４０…基板
４０ｄ…上面
【図１】
2011070775.tif 000003
【図２】
2011070775.tif 000004
【図３】
2011070775.tif 000005
【図４】
2011070775.tif 000006
【図５】
2011070775.tif 000007
【図６】
2011070775.tif 000008
【図７】
2011070775.tif 000009
【図８】
2011070775.tif 000010